(57)【要約】  表示画面に表示されたデータに所望の情報が含まれているか否かを容易に判断でき、簡易な入力操作で所定の情報にアクセスできる通信機器を提供する。第１の入力操作を受け付ける少なくとも一の入力手段と、所定のデータを表示する表示手段と、前記表示手段に表示された前記データから、所定の情報を検索する検索手段と、前記第１の入力操作を受け付けた場合、前記検索手段により検出された前記情報をフォーカスするフォーカス手段とを備えた。
2010150566.tif 000002
【特許請求の範囲】
【請求項１】
第１の入力操作を受け付ける少なくとも一の入力手段と、
所定のデータを表示する表示手段と、
前記表示手段に表示された前記データから、所定の情報を検索する検索手段と、
前記第１の入力操作を受け付けた場合、前記検索手段により検出された前記情報をフォーカスするフォーカス手段とを備えたことを特徴とする通信機器。
【請求項２】
前記情報を用いた所定の処理を実行する実行手段をさらに備え、
前記入力手段は、前記第１の入力操作とは異なる第２の入力操作をさらに受け付け、
前記実行手段は、前記情報がフォーカスされた際に前記第２の入力操作を受け付けた場合、前記フォーカスされた前記情報に基づく前記処理を実行する請求項１に記載の通信機器。
【請求項３】
前記検索手段により検出された前記情報が複数であった場合、前記フォーカス手段は前記第１の入力操作に伴い複数の前記情報間でフォーカスを遷移させる請求項１に記載の通信機器。
【請求項４】
前記所定の情報は電子メールアドレスであり、
前記実行手段は、前記電子メールアドレスを送信先とした電子メールを作成する処理を実行する請求項２に記載の通信機器。
【請求項５】
前記所定の情報は電話番号であり、
前記実行手段は、前記電話番号を発信先とした通話発信処理を実行する請求項２に記載の通信機器。
【請求項６】
前記所定の情報は電子メールアドレスおよび電話番号であり、
前記実行手段は、前記電子メールアドレスがフォーカスされた際に前記第２の入力操作を受け付けた場合、前記フォーカスされた前記電子メールアドレスを送信先とした電子メールを作成する処理を実行し、前記電話番号がフォーカスされた際に前記第２の入力操作を受け付けた場合、前記フォーカスされた前記電話番号を発信先とした通話発信処理を実行する請求項２に記載の通信機器。
【請求項７】
前記第１の入力操作と前記第２の入力操作は、共通の入力手段で受け付け、かつ異なる入力操作である請求項２に記載の通信機器。
【請求項８】
前記第１の入力操作は、前記入力手段の短押し操作であり、
前記第２の入力操作は、前記入力手段の長押し操作である請求項７に記載の通信機器。
【請求項９】
前記第１の入力操作と前記第２の入力操作は、異なる入力手段で受け付ける入力操作である請求項２に記載の通信機器。
【請求項１０】
前記検索手段により前記情報が検出された場合、前記データ内には前記情報が存在することを通知する通知手段をさらに備えた請求項１に記載の通信機器。
【請求項１１】
前記通知手段は、前記複数の操作キーのうち、前記第１の入力操作を受け付ける入力手段を発光させることにより通知する請求項１０に記載の通信機器。
【請求項１２】
前記通知手段は、前記表示手段に所定の通知を表示することにより通知する請求項１０に記載の通信機器。
【請求項１３】
前記入力手段は、押下により入力を受け付ける操作キーである請求項１記載の通信機器。
【請求項１４】
前記入力手段は、前記表示手段と一体に構成されたタッチセンサである請求項１記載の通信機器。
【発明の詳細な説明】
【技術分野】
【０００１】
本発明は、通信機器に係り、特に、表示されたデータ内の特定の情報をユーザに好適に認識させる通信機器に関する。
【背景技術】
【０００２】
近年、携帯電話機などの通信機器は、幅広い年齢層で利用されることから、特にシニア層などの特定層に対して操作を容易とする技術も多く知られている。例えば、ユーザ操作をわかりやすくガイドするため、操作キーなどの入力装置を発光させることができる技術が知られている（例えば、特許文献１：特開２００７−４１７５７号公報、特許文献２：特開２００３−２４８５４７号公報参照）。これらの技術は、メールキーや発信・応答キーなどの特定の操作キーを個別に発光させることで電子メールの受信を知らせたり、通話着信時に応答操作を促したりすることを可能とする。【０００３】
ところで、通信機器には、テキストや画像からなるコンテンツを閲覧するＷｅｂブラウザをはじめとするブラウザ機能を備えたものがある。このコンテンツには、ＵＲＬなどのリンク先情報が含まれている場合がある。そこで、コンテンツ中に含まれるリンク先情報に対するジャンプを容易に行う機能を備えた通信機器が知られている（例えば、特許文献３：特開平１０−７８９５２号公報参照）。【０００４】
また、通信機器の表示画面に表示されたコンテンツや受信した電子メールの内容に電話番号や電子メールアドレスとして識別可能な情報が含まれる場合がある。そこで、通信機器には、表示画面中にこれらの情報が表示されるとこれらの情報にフォーカスを当ててユーザに示す技術を備えたものがある。さらに通信機器は、これらの情報にフォーカスが当てられた際にユーザから所定の入力操作を受け付けることにより、これらの情報に基づき電話番号に対する通話発信処理を起動したり、電子メールアドレスに対する新規メール作成処理を起動したりすることができる技術を備えたものが知られている。これらの機能は、コンテンツや受信メールから直接所望の連絡先に通話発信できたり、所望の送信先に電子メールの送信できたりする点でユーザに対する操作性に優れている。【０００５】
今日、Ｗｅｂブラウザのコンテンツ量の充実や電子メールの受信可能文字数が増加している。これに伴い、コンテンツや電子メールの内容の全てを表示画面に表示して確認するためには、十字キーなどの操作キーを用いてスクロール操作を連続して実行する必要がある。【０００６】
これに伴い、例えば、通話発信を希望する電話番号が含まれている可能性が高いと期待するコンテンツにおいても、その電話番号がフォーカスされるまで、ユーザはスクロール操作を連続して実行する必要がある。また、通話発信を希望する電話番号が含まれているか定かではないコンテンツに対しても、コンテンツの全ての内容を確認するまでスクロール操作を繰り返して実行し、電話番号の有無を確かめる必要がある。【０００７】
発明の開示
本発明はこのような事情を考慮してなされたもので、表示画面に表示されたデータから、簡易な入力操作で所定の情報にアクセスできる通信機器を提供することを目的とする。【０００８】
また、本発明の他の目的は、表示画面に表示されたデータから、簡易な入力操作で所定の情報を用いた所望の処理を実行するにある。【０００９】
本発明に係る通信機器は、上述した課題を解決するために、第１の入力操作を受け付ける少なくとも一の入力手段と、所定のデータを表示する表示手段と、前記表示手段に表示された前記データから、所定の情報を検索する検索手段と、前記第１の入力操作を受け付けた場合、前記検索手段により検出された前記情報をフォーカスするフォーカス手段とを備えたことを特徴とするものである。【００１０】
また、本発明に係る通信機器は、前記情報を用いた所定の処理を実行する実行手段をさらに備え、前記入力手段は、前記第１の入力操作とは異なる第２の入力操作をさらに受け付け、前記実行手段は、前記情報がフォーカスされた際に前記第２の入力操作を受け付けた場合、前記フォーカスされた前記情報に基づく前記処理を実行する
ものである。【００１１】
本発明に係る通信機器は、表示画面に表示されたデータから、簡易な入力操作で所定の情報にアクセスできる。【００１２】
また、本発明に係る通信機器は、表示画面に表示されたデータから、簡易な入力操作で所定の情報を用いた所望の処理を実行することができる。
【図面の簡単な説明】
【００１３】
【図１】本発明に係る通信機器の一例である折り畳み式の携帯電話機の外観の構成を示す図である。
【図２】本発明に係る通信機器の一例である折り畳み式の携帯電話機の他の外観の構成を示す図である。
【図３】本実施形態における携帯電話機の内部の構成を示す図である。
【図４】待ち受け状態から電子メール本文が表示されるまでのメインディスプレイの遷移例を示す図である。
【図５】本実施形態における携帯電話機の制御部により実行される電子メール本文表示処理を説明するフローチャートである。
【図６】本実施形態における携帯電話機の制御部により実行されるキー発光停止処理を説明するフローチャートである。
【図７】本実施形態における携帯電話機の制御部により実行されるメールキー短押し処理を説明するフローチャートである。
【図８】メールキー短押し操作に伴う電子メールアドレスのフォーカス例を示す図である。
【図９】本実施形態における携帯電話機の制御部により実行されるメールキー長押し処理を説明するフローチャートである。
【図１０】電子メール本文表示画面におけるメールキー長押し操作に伴う新規メール作成処理の起動例を示す図である。
【図１１】電子メール本文表示画面における新規メール作成処理の他の起動例を示す図である。
【図１２】本実施形態における携帯電話機の制御部により実行される発信・応答キー短押し処理を説明するフローチャートである。
【図１３】発信・応答キー短押し操作に伴う電話番号のフォーカス例を示す図である。
【図１４】本実施形態における携帯電話機の制御部により実行される発信・応答キー長押し処理を説明するフローチャートである。
【図１５】電子メール本文表示画面における発信・応答キー長押し操作に伴う通話発信処理の起動例を示す図である。
【図１６】電子メール本文表示画面における発信・応答キー長押し操作に伴う通話発信処理の他の起動例を示す図である。
【図１７】本実施形態における携帯電話機の制御部により実行されるキー入力操作処理を説明するフローチャートである。
【図１８】キー入力操作に伴う電子メールアドレスおよび電話番号のフォーカス例を示す図である。
【図１９】本実施形態における携帯電話機の制御部により実行されるソフトキー入力操作処理を説明するフローチャートである。
【図２０】電子メール本文表示画面におけるソフトキー入力操作に伴う新規メール作成処理の起動例を示す図である。
【図２１】電子メール本文表示画面におけるソフトキー入力操作に伴う通話発信処理の起動例を示す図である。
【図２２】本発明に係る通信機器の変形例であるタッチパネルを備えた携帯電話機の外観の構成を示す図である。
【図２３】電子メール本文表示画面における新規メール作成処理の起動の変形例を示す図である。
【発明を実施するための最良の形態】
【００１４】
本発明に係る通信機器の実施形態を添付図面に基づいて説明する。【００１５】
図１は、本発明に係る通信機器の一例である折り畳み式の携帯電話機１の外観の構成を示す図である。図１（Ａ）は、携帯電話機１を約１８０度に開いた開状態のときの正面から見た外観の構成を示し、図１（Ｂ）は、携帯電話機１を開状態としたときの側面から見た外観の構成を示す。【００１６】
携帯電話機１は、中央のヒンジ部１１を境に第一の筐体１２と第二の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。【００１７】
第一の筐体１２には、その表面に操作キー１４が設けられる。操作キー１４は、特に、「０」から「９」の数字や「あ」行から「わ」行のかな、「Ａ」から「Ｚ」のアルファベットの入力が可能な数字キー１５や、上下左右方向キーを備えた十字キー１６、確定キー１７、左ソフトキー２０、右ソフトキー２１、メールキー１８、発信・応答キー１９などで構成される。本実施形態における操作キー１４のうち、メールキー１８、発信・応答キー１９および他の所定の操作キー１４は、個別に発光制御可能に構成される。これらの操作キー１４は、例えばＬＥＤ（Ｌｉｇｈｔ  Ｅｍｉｔｔｉｎｇ  Ｄｉｏｄｅ）などを利用して発光することができる。また、操作キー１４のうち、少なくともメールキー１８と発信・応答キー１９は、第１の入力操作としての短押しによる入力操作と、第２の入力操作としての長押しによる入力操作とを受け付け可能に構成される。短押しによる入力操作と長押しによる入力操作とは、押下された時間（押下されてから離されるまでの時間）に応じて区別される。【００１８】
十字キー１６は、上下左右方向に操作されることによりメインディスプレイ２３に表示されたカーソルなどを上下左右方向に移動させることができる。また、確定キー１７が押下されることにより、種々の処理の確定処理が実行される。確定キー１７には、メインディスプレイ２３の下部に設けられた確定キー機能表示部２３ａに表示される処理も割り当てられる。【００１９】
さらに、第一の筐体１２の十字キー１６および確定キー１７の上部には、左ソフトキー２０および右ソフトキー２１が設けられる。第一の筐体１２の側面には、携帯電話機１の操作を行うサイドキー２２が設けられる。左ソフトキー２０、右ソフトキー２１およびサイドキー２２は、第一の筐体１２の内部方向に押下されることによって、それぞれ所定の処理が割り当てられている。特に左ソフトキー２０および右ソフトキー２１は、メインディスプレイ２３の下部に設けられた左ソフトキー機能表示部２３ｂおよび右ソフトキー機能表示部２３ｃに表示される処理が割り当てられる。【００２０】
メールキー１８は、電子メール送受信機能を利用する際のメニュー画面を表示する処理が割り当てられたキーである。ユーザは、電子メール機能を利用する際、まずこのメールキー１８を押下し、メニュー画面を開く操作を行う。メールキー１８には、メールのマークが印字されており、ユーザに対して電子メール送受信機能を利用するために用いられるキーであることを直感的に認識させるようになっている。なお、メールキー１８は、第１および第２の入力操作を受け付ける入力手段として機能する。【００２１】
発信・応答キー１９は、数字キー１５を利用して電話番号が入力された後または入力前において押下されることにより、通話発信機能を起動する指示を受け付けるキーである。また、発信・応答キー１９は、携帯電話機１に通話着信が発生した場合に押下されることにより、通話着信に対して応答することができる。なお、発信・応答キー１９は、第１および第２の入力操作を受け付ける入力手段として機能する。【００２２】
第一の筐体１２には、操作キー１４の下部にマイクロフォン２４が設けられる。携帯電話機１は、マイクロフォン２４によって通話時のユーザの音声を集音する。【００２３】
なお、第一の筐体１２は、背面側に図示しないバッテリパックが挿着されている。終話・電源キーが押下されてオン状態になると、バッテリパックから各回路部に対して電力が供給されて携帯電話機１は動作可能な状態に起動する。【００２４】
一方、第二の筐体１３には、その大部分の面積を占めるメインディスプレイ２３が設けられる。メインディスプレイ２３は、電波の受信状態、電池残量の他、電子メールの内容、ホームページなどを表示することができる。なお、メインディスプレイ２３は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイにより構成されるディスプレイである。メインディスプレイ２３は、表示手段として機能する。【００２５】
第二の筐体１３のメインディスプレイ２３の上部の所定の位置にはレシーバ（受話器）２５が設けられる。携帯電話機１は、レシーバ２５によって通話時の音声を出力する。なお、携帯電話機１の所定の位置には、レシーバ２５以外の音声出力部としてのスピーカ（図示せず）も設けられる。さらに、第二の筐体１３のレシーバ２５上部には、内部ＣＣＤカメラ２６が設けられており、ユーザは所望の撮影対象を撮影することができる。【００２６】
図２は、本発明に係る通信機器の一例である折り畳み式の携帯電話機１の他の外観の構成を示す図である。図２の携帯電話機１は、図１の携帯電話機１の状態から矢印Ｘ方向に回動させた閉状態を構成する。図２（Ａ）は、携帯電話機１が閉状態のときの正面から見た外観の構成を示し、図２（Ｂ）は、携帯電話機１が閉状態のときの側面から見た外観の構成を示す。【００２７】
第二の筐体１３の上部には、外部ＣＣＤカメラ２７が設けられており、ユーザは所望の撮影対象を撮影することができる。外部ＣＣＤカメラ２７の下部には、例えばＬＣＤで構成されるサブディスプレイ２８が設けられる。サブディスプレイ２８は、現在のアンテナの感度のレベルを示すアンテナピクト、携帯電話機１の現在の電池状態、電池残量、現在の時刻などを表示する。【００２８】
図３は、本実施形態における携帯電話機１の内部の構成を示す図である。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。【００２９】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮／伸張処理部３７に入力される。【００３０】
圧縮／伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。【００３１】
復号処理により得られたディジタルオーディオ信号はＰＣＭコーデック３８に供給される。ＰＣＭコーデック３８は、圧縮／伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ２５により出力される。【００３２】
圧縮／伸張処理部３７によりビデオコーデックにて復号されたディジタル動画像信号は、制御部４１に入力される。制御部４１は、圧縮／伸張処理部３７から出力されたディジタル動画像信号に基づく動画像を、図示せぬビデオＲＡＭ（例えばＶＲＡＭなど）を介してメインディスプレイ２３に表示させる。なお、制御部４１は、受信された動画像データだけでなく、ＣＣＤカメラ２６、２７（内部ＣＣＤカメラ２６、外部ＣＣＤカメラ２７）により撮像された動画像データに関しても、図示せぬビデオＲＡＭを介してメインディスプレイ２３に表示させることも可能である。【００３３】
また、圧縮／伸張処理部３７は、受信パケットデータが電子メールである場合、この電子メールを制御部４１に供給する。制御部４１は、圧縮／伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ２３に表示させる。【００３４】
一方、通話モードにおいて、マイクロフォン２４に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮／伸張処理部３７に入力される。また、ＣＣＤカメラ２６、２７から出力される動画像信号は、制御部４１によりディジタル化されて圧縮／伸張処理部３７に入力される。さらに、制御部４１にて作成されたテキストデータである電子メールも、圧縮／伸張処理部３７に入力される。【００３５】
圧縮／伸張処理部３７は、ＰＣＭコーデック３８から出力されたディジタルオーディオ信号を所定の送信データレートに応じたフォーマットで圧縮符号化する。これにより、オーディオデータが生成される。また、圧縮／伸張処理部３７は、制御部４１から出力されたディジタル動画像信号を圧縮符号化して動画像データを生成する。そして、圧縮／伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮／伸張処理部３７は、制御部４１から電子メールが出力された場合にも、この電子メールを送信パケットデータに多重化する。【００３６】
ＣＤＭＡ信号処理部３６は、圧縮／伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。【００３７】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。また、制御部４１はビデオＲＡＭも備え、メインディスプレイ２３に表示される映像に関する情報が一時的に格納される。【００３８】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。電源回路４４は、バッテリ４３の出力を基に所定の動作電源電圧Ｖｃｃを生成して各回路部に供給する。時計回路４５は、現在の正確な時刻や所定の時間を測定する。【００３９】
本実施形態における携帯電話機１は、電子メール機能（電子メールアプリケーション）を備える。送受信された電子メールは、メインディスプレイ２３を介して閲覧されるようになっている。また、携帯電話機１は、図示しないＷｅｂサーバより取得したホームページなどのＷｅｂコンテンツを表示するＷｅｂブラウザや、携帯電話機１で閲覧可能な形式からなるテキストファイルなどのデータファイルを閲覧するブラウザ機能を備えている。【００４０】
携帯電話機１は、メインディスプレイ２３に表示されたこれらの電子メールやコンテンツに電子メールアドレスや電話番号として識別可能な情報が含まれる場合、これらの情報にフォーカスを当ててユーザに対して選択可能とする機能を有する。また、携帯電話機１は、これらの情報がフォーカスされた際に所定の操作キー１４より所定の入力操作を受け付けることにより、情報が電子メールアドレスである場合にはその電子メールアドレスを送信先とする新規メール作成処理を、電話番号である場合にはその電話番号を発信先とする通話発信処理を起動する機能を有する。以下、携帯電話機１の動作を具体的に説明する。【００４１】
はじめに、携帯電話機１が電子メール本文をメインディスプレイ２３に表示する場合の表示処理について説明する。本実施形態における電子メール本文表示処理は、送信または受信された電子メール本文をメインディスプレイ２３に表示する指示を受け付けた場合に開始される。以下の説明においては、受信された電子メール本文を表示する指示を受け付けた場合に適用して説明する。【００４２】
図４は、待ち受け状態から電子メール本文が表示されるまでのメインディスプレイ２３の遷移例を示す図である。例えば、携帯電話機１が待ち受け状態であることを示す待ち受け画面が表示されている場合（図４（Ａ））にメールキー１８が押下されると、メインディスプレイ２３には電子メールに関するメニューを選択させるメールメニュー画面が表示される（図４（Ｂ））。メールメニュー画面に表示された項目の中から、受信メール一覧を表示させる指示を受け付けると、メインディスプレイ２３には受信メール一覧が表示される（図４（Ｃ））。図４（Ｃ）では、受信メールの送信元名が一覧となって表示されている。受信された電子メール本文をメインディスプレイ２３に表示する指示は、この受信メール一覧から任意の電子メールが選択された場合に受け付ける。任意の電子メールが選択されると、メインディスプレイ２３には選択された電子メールの電子メール本文や、電子メールの送信元（Ｆｒｏｍ）、受信日時（Ｄａｔａ）、件名（Ｔｉｔｌｅ）などの電子メールの詳細情報が表示される（図４（Ｄ））。【００４３】
なお、メインディスプレイ２３に表示される電子メールは少なくとも１件であり、１件以上の電子メールの本文が同時に表示される場合であっても本処理を実行するようにしてもよい。【００４４】
次に、電子メールの本文を表示する指示を受け付けた際に実行される電子メール本文表示処理について説明する。【００４５】
図５は、本実施形態における携帯電話機１の制御部４１により実行される電子メール本文表示処理を説明するフローチャートである。【００４６】
ステップＳ１において、制御部４１は、メインディスプレイ２３に表示された電子メール本文のテキストを検索し、電子メールアドレスが検出されたか否かの判定を行う。検索手段としての制御部４１は、例えば電子メール本文のテキスト先頭位置から所定の文字列単位で順次検索を行う。制御部４１は、例えば電子メール本文のテキスト中において「＊＠＊」（「＠」は半角）あるいは「ｍａｉｌｔｏ：＊」などの電子メールアドレスであることを示す文字列の検出を行う。「＊」は、連続する特定のＡＳＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）文字コードであって、１文字以上とする。電子メールアドレスの検出方法はこれに限らず、電子メールアドレスであると識別される文字列を検出可能な方法であればどのような方法を用いてもよい。制御部４１は、電子メール本文テキストを検索した結果、電子メールアドレスが検出されなかった場合、処理は電話番号検出ステップＳ４に進む。【００４７】
一方、制御部４１は、電子メール本文テキスト中に電子メールアドレスを検出した場合、ステップＳ２において、電子メールアドレスであると識別された文字列を電子メールアドレスとして記憶部４２などの記憶領域に記憶する。【００４８】
ステップＳ３において、制御部４１は、電子メール本文中に存在する電子メールアドレス間でフォーカスを遷移させる指示が割り当てられた所定の操作キーを発光させる。発光される操作キーは、例えばメールキー１８や他の特定の操作キー１４である。このとき、制御部４１はメールキー１８などを発光させることにより、ユーザに対して電子メール本文中に電子メールアドレスが含まれることを通知することができる。【００４９】
ステップＳ４において、制御部４１は、メインディスプレイ２３に表示された電子メール本文を検索し、電話番号が検出されたか否かの判定を行う。制御部４１は、たとえば電子メール本文の先頭位置から所定の文字列単位で順次検索を行う。制御部４１は、例えば電子メール本文から「０＊」（各文字は大文字、小文字を問わない）、「＋＊」、「ＴＥＬ：＊」、「ＴＥＬ：＋＊」（ＴＥＬ：、ＴＥＬ：＋は半角）などの電話番号であることを示す文字列の検出を行う。「＊」は、連続する１０桁以上２４桁以下の文字列とし、ＡＳＩＩ文字コードの半角“０〜９、＃、＊”あるいは全角“０〜９、＃、＊”とする。また、ＡＳＩＩ文字コードの半角あるいは全角のハイフン、括弧、カンマが文字列中に存在する場合は、これを無視する。電話番号の検出方法はこれに限らず、電話番号であると識別される文字列を検出可能な方法であればどのような方法を用いてもよい。制御部４１は、電子メール本文を検索した結果、電話番号が検出されなかった場合、処理は検索終了判定ステップＳ７に進む。【００５０】
一方、制御部４１は、電子メール本文中に電話番号を検出した場合、ステップＳ５において、電話番号であると識別された文字列を電話番号として記憶部４２などの記憶領域に記憶する。【００５１】
ステップＳ６において、制御部４１は、電子メール本文中に存在する電話番号間でフォーカスを遷移させる指示としての第１の入力操作の受け付けが割り当てられた操作キー１４を発光させる。このとき発光される操作キー１４は、例えば発信・応答キー１９や他の特定の操作キー１４である。このとき、制御部４１は発信・応答キー１９などを発光させることにより、ユーザに対して電子メール本文中に電話番号が含まれることを通知することができる。【００５２】
ステップＳ７において、制御部４１は、電子メール本文テキストの終了位置まで検索を行ったか否かの判定を行う。制御部４１は、未だ検索が終了していないと判定した場合、電子メールアドレス検索ステップＳ１に戻り、以降の処理を繰り返す。制御部４１は、電子メール本文の終了位置まで電子メール本文の文字列単位でアドレス検出ステップＳ１〜発光ステップＳ６の一連の処理を繰り返す。【００５３】
制御部４１は、電子メール本文の終了位置まで検索を行ったと判定した場合、ステップＳ８において、電子メール本文をはじめとする電子メールの詳細情報をメインディスプレイ２３に表示し、電子メール本文表示処理を終了する。【００５４】
なお、発光ステップＳ３およびＳ６において、制御部４１は通知手段として機能し、メールキー１８、発信・応答キー１９や他の特定の操作キー１４を発光させ、ユーザに対して電子メール本文中に電子メールアドレスおよび電話番号が含まれることを通知した。しかし、メールキー１８などの発光に限らす、アイコンやポップアップなどをメインディスプレイ２３に表示することにより通知を行ってもよい。個別の操作キー１４を発光させる構成を備えない携帯電話機に対しては有効である。以上で、電子メール本文表示処理の説明を終了する。【００５５】
次に、図５の電子メール本文表示処理におけるキー発光ステップＳ３およびＳ６において発光されたメールキー１８などの発光停止処理について説明する。【００５６】
図６は、本実施形態における携帯電話機１の制御部４１により実行されるキー発光停止処理を説明するフローチャートである。キー発光停止処理は、図５の電子メール本文表示処理後に実行される。【００５７】
ステップＳ１１において、制御部４１は、メインディスプレイ２３に表示された電子メール本文を表示する画面とは異なる画面に遷移させる処理が発生したか否かの判定を行う。異なる画面に遷移させる処理には、電子メールアプリケーションを終了する処理、現在表示されている電子メール本文とは別の電子メール本文を表示する処理、サブメニューを開く処理、新規メール（返信メール）作成処理、通話発信処理などの処理が該当する。制御部４１は、電子メール本文を表示する画面とは異なる画面に遷移させる処理が発生していないと判定した場合、処理が発生するまで待機する。【００５８】
一方、制御部４１は、異なる画面に遷移させる処理が発生したと判定した場合、ステップＳ１２において、図５の電子メール本文表示処理のキー発光ステップＳ３およびＳ６で発光が割り当てられたメールキー１８などが発光中であるか否かの判定を行う。制御部４１は、メールキー１８などが発光中であると判定した場合、ステップＳ１３において、メールキー１８などの発光を停止させる。【００５９】
一方、制御部４１はメールキー１８などが発光していないと判定した場合、発光停止処理を終了する。以上で、発光停止処理の説明を終了する。【００６０】
次に、電子メール本文表示処理により発光したメールキー１８などを介して入力操作を受け付けた場合に実行される処理について説明する。【００６１】
メインディスプレイ２３に表示された電子メール本文は、十字キー１６の下方向および上方向のキーの押下を受け付けることにより、下方向および上方向にスクロールされるようになっている。このとき制御部４１は、電子メール本文をスクロールすると同時に、またはスクロールに代えて、電子メール本文表示処理において検出され、電子メールアドレスや電話番号として記憶された文字列間で順次フォーカスを遷移するようになっている。【００６２】
一方、制御部４１は、電子メール本文表示処理において発光されたメールキー１８などの押下を受け付けることにより、メインディスプレイ２３に表示された電子メール本文中に含まれる電子メールアドレスや電話番号に対して、簡易な入力操作でアクセスでき、かつその電子メールアドレスや電話番号を用いた処理を実行することができるようになっている。具体的には、携帯電話機１は、所定の操作キー１４が第１の入力操作を受け付けた場合、電子メール本文中に存在する電子メールアドレスや電話番号をフォーカスする。また、携帯電話機１は、所定の操作キー１４が第２の入力操作を受け付けた場合、フォーカスされた電子メールアドレスや電話番号を用いて新規メール作成処理、通話発信処理を実行するようになっている。【００６３】
以下に説明する処理には、第一〜第三の実施例がある。【００６４】
第一の実施例は、第１の入力操作としてのメールキー１８の短押し操作により電子メール本文中に含まれる電子メールアドレスがフォーカスされ、第２の入力操作としてのメールキー１８（第１の入力操作と共通の操作キー１４）の長押し操作などによりフォーカスされた電子メールアドレスを送信先とする電子メールを作成する処理を実行するものである。【００６５】
第二の実施例は、第１の入力操作としての発信・応答キー１９の短押し操作により電子メール本文中に含まれる電話番号がフォーカスされ、第２の入力操作としての発信・応答キー１９（第１の入力操作と共通の操作キー１４）の長押し操作などによりフォーカスされた電話番号を発信先とする通話発信処理を行うものである。【００６６】
第三の実施例は、第１の入力操作としての所定の操作キー１４の入力操作により電子メール本文中に含まれる電子メールアドレスおよび電話番号が区別されることなく表示順にフォーカスされ、第２の入力操作としての左ソフトキー２０または右ソフトキー２１（第１の入力操作と共通または異なる操作キー１４）の入力操作によりフォーカスされた電子メールアドレスを送信先とする電子メールを作成する処理、またはフォーカスされた電話番号を発信先とする通話発信処理を行うものである。【００６７】
電子メール本文が表示された後に実行される処理の第一の実施例について説明する。はじめに、メールキー１８の短押しによる入力操作を受け付けた場合に実行されるメールキー短押し処理について説明する。第一の実施例における携帯電話機１は、メールキー１８の短押し操作に対して、電子メールアドレス間におけるフォーカスの遷移を割り当てている。このため、ユーザが所望する電子メールアドレスにすばやくフォーカスを当てることができる。【００６８】
図７は、本実施形態における携帯電話機１の制御部４１により実行されるメールキー短押し処理を説明するフローチャートである。なお、電子メール本文表示処理において電子メールアドレスが検出された場合には、メールキー短押し処理開始時においてはメールキー１８が発光したり、アイコンやポップアップなどが表示されたりしており、ユーザに対してメールキー１８の押下を促している状態である。【００６９】
ステップＳ２１において、制御部４１は、メールキー１８が短押し操作を受け付けたか否かの判定を行う。制御部４１は、メールキー１８の短押し操作を受け付けるまで処理を待機する。【００７０】
制御部４１は、短押し操作を受け付けたと判定した場合、ステップＳ２２において、電子メール本文中に１以上の電子メールアドレスが存在するか否かの判定を行う。制御部４１は、電子メール本文表示処理（図５）のアドレス検出ステップＳ１において検出され、アドレス記憶ステップＳ２で電子メールアドレスとして記憶された情報の有無を参照して判定を行う。【００７１】
制御部４１は、電子メール本文中に電子メールアドレスが存在しないと判定した場合、ステップＳ２３において、メールキー１８の短押し操作時に割り当てられた通常の処理を実行し、メールキー短押し処理を終了する。または、制御部４１は、メールキー１８の短押しに特定の操作が割り当てられていない場合には、特に処理を行わずに、メールキー短押し処理を終了する。なお、電子メール本文中に電子メールアドレスが存在しない場合には、メールキー１８は発光されておらず、消灯状態である。【００７２】
一方、制御部４１は、電子メールアドレス判定ステップＳ２２において電子メール本文中に電子メールアドレスが存在すると判定した場合、ステップＳ２４において、電子メール本文中に存在する電子メールアドレスの検索を開始する。例えば、制御部４１は、電子メール本文の先頭位置から検索を開始する。ここで検索対象となるのは、アドレス記憶ステップＳ２において電子メールアドレスとして記憶された文字列である。【００７３】
ステップＳ２５において、制御部４１は、電子メールアドレスが検出されたか否かの判定を行う。制御部４１は、電子メールアドレスが検出されないと判定した場合、ステップＳ２６において、電子メール本文の終了位置まで検索を実行したか否かの判定を行う。制御部４１は、電子メール本文の終了位置まで検索が実行されていないと判定した場合、検出判定ステップＳ２５に戻り引き続き検索を行う。一方、制御部４１は、電子メール本文の終了位置まで検索が実行されたと判定した場合、ステップＳ２７において、電子メール本文の先頭位置から電子メールアドレスの検索を実行する。【００７４】
制御部４１は、検出判定ステップＳ２５において電子メール本文中において電子メールアドレスが検出されたと判定した場合、ステップＳ２８において、検出された電子メールアドレスに相当する文字列をメインディスプレイ２３上でフォーカスする。このとき制御部４１は、検索手段により検索された情報をフォーカスするフォーカス手段として機能する。【００７５】
図８は、メールキー短押し操作に伴う電子メールアドレスのフォーカス例を示す図である。図８（Ａ）では電子メール本文などの一の電子メールの詳細情報が表示されている。図８（Ａ）に示す電子メール本文は、全文が一の画面で表示しきれない長さである。電子メール本文は、「至急連絡・・・・・・に電話ください。」までが一の画面で表示され、それ以降の「不在の場合は・・・・・・よろしくお願いします」を確認するためにはスクロール操作を必要とする。【００７６】
ここで、制御部４１はメールキー１８の短押し操作を受け付けると（短押し受付判定ステップＳ２１のＹＥＳ）、図８（Ｂ）に示すように電子メールアドレス「ａａａ＠ｂｂｂ．ｃｃｃ．ｄｄｄ」が即座にフォーカスされるようになっている（図８においては、電子メールアドレスを四角で囲むことでフォーカスされた状態を示す。）。すなわち、制御部４１は、検出された電子メールアドレスがメールキー１８の短押し前には画面に表示されていない場合であっても、スクロール操作を要すことなくこの電子メールアドレスをフォーカスする。【００７７】
図８（Ｂ）の電子メールアドレス「ａａａ＠ｂｂｂ．ｃｃｃ．ｄｄｄ」がフォーカスされている状態で再度メールキー１８の短押し操作を受け付けた場合、再度メールキー短押し処理が実行される。制御部４１は、現在フォーカスされている電子メールアドレス「ａａａ＠ｂｂｂ．ｃｃｃ．ｄｄｄ」以降から検索を開始し（検索開始ステップＳ２４）、検出された他の電子メールアドレス「ｅｅｅ＠ｆｆｆ．ｇｇｇ．ｈｈｈ」にフォーカスを遷移させる（図８（Ｃ））。その後、さらにメールキー１８の短押し操作を受け付けた場合には、再度メールキー短押し処理が実行される。制御部４１は現在フォーカスされている電子メールアドレス「ｅｅｅ＠ｆｆｆ．ｇｇｇ．ｈｈｈ」以降から検索を開始する（検索開始ステップＳ２４）。図８に示す電子メール本文においては、「ｅｅｅ＠ｆｆｆ．ｇｇｇ．ｈｈｈ」以降から電子メール本文終了位置までの間に他の電子メールアドレスが存在しないため（検索位置判定ステップＳ２６のＹＥＳ）、制御部４１は、電子メール本文先頭位置まで戻り（先頭位置検索ステップＳ２７）、最初に検出された電子メールアドレス「ａａａ＠ｂｂｂ．ｃｃｃ．ｄｄｄ」を再度フォーカスする。【００７８】
なお、検出判定ステップＳ２５〜フォーカス表示ステップＳ２８で実行される処理は一例であって、メールキー１８の短押しに伴い電子メールアドレスを検出した後順次フォーカス可能であれば、他の方法を適用してもよい。以上で、メールキー短押し処理の説明を終了する。【００７９】
次に、第一の実施例における携帯電話機１は、電子メール本文中の電子メールアドレスがフォーカスされている状態で第２の入力操作を受け付けるメールキー１８が長押しされた場合、その電子メールアドレスを送信先に設定した新規メール作成処理を実行するようになっている。【００８０】
図９は、本実施形態における携帯電話機１の制御部４１により実行されるメールキー長押し処理を説明するフローチャートである。このメールキー長押し処理は、電子メール本文がメインディスプレイ２３に表示されている場合において実行される処理である。【００８１】
ステップＳ３１において、制御部４１は、メールキー１８が長押し操作を受け付けたか否かの判定を行う。制御部４１は、メールキー１８の長押し操作を受け付けるまで処理を待機する。【００８２】
制御部４１は、長押し操作を受け付けたと判定した場合、ステップＳ３２において、現在のフォーカスが電子メールアドレスに当てられているか否かの判定を行う。制御部４１は、現在のフォーカスが電子メールアドレス以外の電話番号などに当てられている、またはフォーカスされた項目がないと判定した場合、特に処理を行わずにメールキー長押し処理を終了する。【００８３】
一方、制御部４１は、現在のフォーカスが電子メールアドレスに当てられていると判定した場合、ステップＳ３３において新規メール作成処理を実行する。このとき制御部４１は、フォーカスされた電子メールアドレスを送信先とした電子メールを作成する処理を実行する実行手段として機能する。制御部４１は、フォーカスされている電子メールアドレスの文字列を記憶領域より読み出し、読み出した電子メールアドレスを送信先アドレスに設定する。【００８４】
図１０は、電子メール本文表示画面におけるメールキー長押し操作に伴う新規メール作成処理の起動例を示す図である。図１０（Ａ）では電子メールの本文中の電子メールアドレス「ａａａ＠ｂｂｂ．ｃｃｃ．ｄｄｄ」にフォーカスが当てられている。ここで、制御部４１はメールキー１８の長押し操作を受け付けると（長押し受付判定ステップＳ３１のＹＥＳ）、図１０（Ｂ）に示すように、電子メール本文の表示に代えて、フォーカスされていた電子メールアドレスが送信先（Ｔｏ：）に設定された電子メールを作成する新規メール作成処理を実行し、新規メール作成画面を表示する。【００８５】
なお、フォーカスされている電子メールアドレスを送信先とする新規メール作成処理を起動する指示を第２の入力操作であるメールキー１８の長押し操作に割り当てたが、メールキー１８に限らず左ソフトキー２０または右ソフトキー２１などの他の操作キー１４の押下に割り当ててもよい。【００８６】
図１１は、電子メール本文表示画面における新規メール作成処理の他の起動例を示す図である。図１１（Ａ）では電子メール本文が表示されている。ここで、制御部４１はメールキー１８の短押し操作を受け付けることにより、電子メールアドレス「ａａａ＠ｂｂｂ．ｃｃｃ．ｄｄｄ」をフォーカスしている。このとき、制御部４１は、例えば左ソフトキー機能表示部２３ｂ（または右ソフトキー機能表示部２３ｃ）に新規メール作成を意味するメールのアイコンを表示する。制御部４１はメールのアイコンを表示することで、ユーザに対し左ソフトキー２０（または右ソフトキー２０）の押下により新規メール作成処理が起動することを認識させる。制御部４１は、左ソフトキー２０が押下されると、図１１（Ｂ）に示すように、フォーカスされた電子メールアドレスが送信先に設定された新規メール作成処理を実行する。【００８７】
このような第一の実施例における携帯電話機１は、電子メール本文が表示されている際にメールキー１８が短押しされると、電子メールアドレスのみをフォーカスするメールキー短押し処理を実行する。さらに、携帯電話機１は、電子メールアドレス間のフォーカスの遷移が割り当てられたキーと同一のキーであるメールキー１８が長押されると、フォーカスされた電子メールアドレスを送信先とする新規メールの作成処理を実行するメールキー長押し処理を実行する。このため、携帯電話機１は、電子メール本文中から所望の電子メールアドレスを選択する操作およびその電子メールアドレスが送信先に設定された新規メールの作成処理を起動する操作を一の操作キー１４で、シームレスに行うことができる。【００８８】
また、ソフトキー２０、２１にメールキー長押し処理と同様の処理を割り当てることでも、スムーズに新規メール作成処理を起動させることができる。【００８９】
以上で、制御部４１により実行されるメールキー短押し処理およびメールキー長押し処理からなる第一の実施例の説明を終了する。【００９０】
次に、電子メール本文が表示された後に実行される処理の第二の実施例について説明する。はじめに、発信・応答キー１９の短押しによる入力操作を受け付けた場合に実行される発信・応答キー短押し処理について説明する。【００９１】
第二の実施例における携帯電話機１は、発信・応答キー１９の短押し操作に対して、電話番号のみにフォーカスを当てる処理を割り当てた。このため、ユーザが所望する電話番号にすばやくフォーカスを当てることができる。【００９２】
図１２は、本実施形態における携帯電話機１の制御部４１により実行される発信・応答キー短押し処理を説明するフローチャートである。発信・応答キー短押し処理では、メールキー短押し処理に対応する処理については重複した詳細な説明は省略する。電子メール本文表示処理（図５）において電話番号が検出された場合には、発信・応答キー短押し処理開始時においては発信・応答キー１９が発光したり、アイコンやポップアップなどが表示されたりしており、ユーザに対して発信・応答キー１９の押下を促している状態である。【００９３】
ステップＳ４１において、制御部４１は、発信・応答キー１９が短押し操作を受け付けたか否かの判定を行う。制御部４１は、発信・応答キー１９の短押し操作を受け付けるまで処理を待機する。【００９４】
制御部４１は、短押し操作を受け付けたと判定した場合、ステップＳ４２において、電子メール本文中に１以上の電話番号が存在するか否かの判定を行う。制御部４１は、電子メール本文表示処理（図５）の電話番号検出ステップＳ４において検出され、電話番号記憶ステップＳ５で電話番号として記憶された情報の有無を参照して判定を行う。【００９５】
制御部４１は、電子メール本文中に電話番号が存在しないと判定した場合、ステップＳ４３において、発信・応答キー１９の短押し操作時に割り当てられた通常の処理を実行し、発信・応答キー短押し処理を終了する。または、制御部４１は、発信・応答キー１９の短押しに特定の操作が割り当てられていない場合には、特に処理を行わずに、発信・応答キー短押し処理を終了する。なお、電子メール本文中に電話番号が存在しない場合には、発信・応答キー１９は発光されておらず、消灯状態である。【００９６】
一方、制御部４１は、電話番号判定ステップＳ４２において電子メール本文中に電話番号が存在すると判定した場合、ステップＳ４４において、電子メール本文中に存在する電話番号の検索を開始する。例えば、制御部４１は、電子メール本文の先頭位置から検索を開始する。ここで検索対象となるのは、電話番号記憶ステップＳ５において電話番号として記憶された文字列である。【００９７】
ステップＳ４５において、制御部４１は、電話番号が検出されたか否かの判定を行う。制御部４１は、電話番号が検出されないと判定した場合、ステップＳ４６において、電子メール本文の終了位置まで検索を実行したか否かの判定を行う。制御部４１は、電子メール本文の終了位置まで検索が実行されていないと判定した場合、検出判定ステップＳ４５に戻り引き続き検索を行う。一方、制御部４１は、電子メール本文の終了位置まで検索が実行されたと判定した場合、ステップＳ４７において、電子メール本文の先頭位置に戻り、電話番号の検索を実行する。【００９８】
制御部４１は、検出判定ステップＳ４５において、電子メール本文中において電話番号が検出されたと判定した場合、ステップＳ４８において、検出された電話番号に相当する文字列をメインディスプレイ２３上でフォーカスする。【００９９】
図１３は、発信・応答キー短押し操作に伴う電話番号のフォーカス例を示す図である。図１３（Ａ）では電子メールの本文などの一の電子メールの詳細情報が表示されている。ここで、制御部４１は発信・応答キー１９の短押し操作を受け付けると（短押し受付判定ステップＳ４１のＹＥＳ）、図１３（Ｂ）に示すように電話番号「０×−××××−△△△△」が即座にフォーカスされるようになっている（図１３においては、電子メールアドレスを四角で囲むことでフォーカスされた状態を示す。）。図１３（Ｂ）の電話番号「０×−××××−△△△△」がフォーカスされている状態で再度、発信・応答キー１９の短押し操作を受け付けた場合、再度発信・応答キー短押し処理が実行される。制御部４１は、現在フォーカスされている電話番号以降から検索を開始する（検索開始ステップＳ４４）。しかし、図１３に示す電子メール本文中には、現在フォーカスされている電話番号以降から電子メール本文終了位置までの間に他の電話番号が存在しないため（検索位置判定ステップＳ４６のＹＥＳ）、制御部４１は、電子メール本文先頭位置まで戻り（先頭位置検索ステップＳ４７）、最初に検出された電話番号「０×−××××−△△△△」が再度フォーカスされる。メインディスプレイ２３の表示画面は、電話番号「０×−××××−△△△△」が連続してフォーカスされているように振舞う。【０１００】
なお、検出判定ステップＳ４５〜フォーカス表示ステップＳ４８で実行される処理は一例であって、発信・応答キー１９の短押しに伴い電話番号を検出した後順次フォーカス可能であれば、他の方法を適用してもよい。以上で発信・応答キー短押し処理の説明を終了する。【０１０１】
次に、第二の実施例における携帯電話機１は、電子メール本文中の電話番号がフォーカスされている状態で第２の入力操作を受け付ける発信・応答キー１９が長押しされた場合、その電話番号を通話発信先とする通話発信処理を実行するようになっている。【０１０２】
図１４は、本実施形態における携帯電話機１の制御部４１により実行される発信・応答キー長押し処理を説明するフローチャートである。この発信・応答キー長押し処理は、電子メール本文がメインディスプレイ２３に表示されている場合において実行される処理である。【０１０３】
ステップＳ５１において、制御部４１は、発信・応答キー１９が長押し操作を受け付けたか否かの判定を行う。制御部４１は、発信・応答キー１９が長押し操作を受け付けるまで処理を待機する。【０１０４】
制御部４１は、長押し操作を受け付けたと判定した場合、ステップＳ５２において、現在のフォーカスが電話番号に当てられているか否かの判定を行う。制御部４１は、現在のフォーカスが電話番号以外の電子メールアドレスなどに当てられている、またはフォーカスされた項目がないと判定した場合、特に処理を行わずに発信・応答キー長押し処理を終了する。【０１０５】
一方、制御部４１は、現在のフォーカスが電話番号に当てられていると判定した場合、ステップＳ５３において通話発信処理を起動する。その際、制御部４１は、フォーカスされている電話番号の文字列を記憶領域より読み出し、通話発信先の電話番号に設定する。【０１０６】
図１５は、電子メール本文表示画面における発信・応答キー長押し操作に伴う通話発信処理の起動例を示す図である。図１５（Ａ）では電子メールの本文中の電話番号にフォーカスが当てられている。ここで、制御部４１は発信・応答キー１９の長押し操作を受け付けると（長押し受付判定ステップＳ５１のＹＥＳ）、図１５（Ｂ）に示すように、電子メール本文の表示に代えて、フォーカスされていた電話番号を発信先とする通話発信処理を起動する。【０１０７】
なお、フォーカスされている電話番号を発信先とする通話発信処理を起動する指示を、第２の入力操作としての発信・応答キー１９の長押し操作に割り当てたが、発信・応答キー１９に限らず、左ソフトキー２０または右ソフトキー２１などの他の操作キー１４の押下に割り当ててもよい。【０１０８】
図１６は、電子メール本文表示画面における通話発信処理の他の起動例を示す図である。図１６（Ａ）では電子メール本文が表示されている。ここで、制御部４１は発信・応答キー１９の短押し操作の受け付けに伴い、電話番号「０×−××××−△△△△」をフォーカスしている。このとき、制御部４１は、例えば左ソフトキー機能表示部２３ｂ（または右ソフトキー機能表示部２３ｃ）に通話発信を意味する受話器のアイコンを表示する。制御部４１は受話器のアイコンを表示することで、ユーザに対し左ソフトキー２０（または右ソフトキー２１）の押下により通話発信処理が起動することを認識させる。制御部４１は、左ソフトキー２０が押下されると、図１６（Ｂ）に示すように、フォーカスされた電話番号が発信先に設定された通話発信処理を起動する。以上で発信・応答キー長押し処理の説明を終了する。【０１０９】
このような第二の実施例における携帯電話機１は、発信・応答キー１９が短押しされると、電話番号のみをフォーカスする発信・応答キー短押し処理を実行する。さらに、携帯電話機１は、電話番号間をフォーカスさせるキーと同一のキーである発信・応答キー１９が長押しされると、フォーカスされた電話番号を通話発信先に設定した通話発信処理を起動する発信・応答キー長押し処理を実行することができる。このため、携帯電話機１は、電子メール本文中から所望の電話番号を選択する操作およびその電話番号を発信先とした通話発信処理を起動する操作を一の操作キー１４でシームレスに行うことができる。【０１１０】
また、ソフトキー２０、２１に発信・応答キー長押し処理と同様の処理を割り当てることでも、スムーズに通話発信処理を起動させることができる。【０１１１】
以上で、制御部４１により実行される発信・応答キー短押し処理および発信・応答キー長押し処理からなる第二の実施例の説明を終了する。【０１１２】
電子メール本文が表示された後に実行される処理の第三の実施例について説明する。はじめに、所定の操作キー１４の入力操作を受け付けた場合に実行されるキー入力操作処理について説明する。【０１１３】
第三の実施例における携帯電話機１は、特定の操作キー１４の入力操作（押下）に対して、電子メールアドレスおよび電話番号を区別することなく検出された順にフォーカスを当てる処理を割り当てている。このため、ユーザが所望する電子メールアドレスおよび電話番号にすばやくフォーカスを当てることができる。以下に説明するキー入力操作処理においては、第一の入力操作を受け付ける特定の操作キー１４に確定キー１７を適用して説明する。特定の操作キー１４は、確定キー１７に限らず特定の数字キー１５やソフトキー２０、２１、メニューキーなどの他のいかなる操作キー１４であってもよい。【０１１４】
図１７は、本実施形態における携帯電話機１の制御部４１により実行されるキー入力操作処理を説明するフローチャートである。キー入力操作処理では、メールキー短押し処理に対応する処理については重複した詳細な説明は省略する。電子メール本文表示処理（図５）において電子メールアドレスや電話番号が検出された場合には、キー入力操作処理開始時においては特定の操作キー１４としての確定キー１７が発光したり、アイコンやポップアップなどが表示されたりしており、ユーザに対して特定の操作キー１４の入力操作を促している状態である。【０１１５】
ステップＳ６１において、制御部４１は、確定キー１７が入力操作を受け付けたか否かの判定を行う。制御部４１は、確定キー１７の入力操作を受け付けるまで処理を待機する。なお、受付判定ステップＳ６１において受け付けたか否かの判定を行う入力操作は、短押し操作または長押し操作のいずれかに限定してもよいし、短押し操作または長押し操作の両者を入力操作として受け付けるようにしてもよい。【０１１６】
制御部４１は、入力操作を受け付けたと判定した場合、ステップＳ６２において、電子メール本文中に１以上の電子メールアドレスまたは電話番号（以下、「電子メールアドレスなど」という。）が存在するか否かの判定を行う。制御部４１は、電子メール本文表示処理（図５）のアドレス検出ステップＳ１および電話番号検出ステップＳ４において検出され、アドレス記憶ステップＳ２で記憶された情報および電話番号記憶ステップＳ５で記憶された情報の有無を参照して判定を行う。【０１１７】
制御部４１は、電子メール本文中に電子メールアドレスなどが存在しないと判定した場合、ステップＳ６３において、確定キー１７の押下に割り当てられた通常の処理を実行し、キー入力操作処理を終了する。または、制御部４１は、確定キー１７の入力操作に特定の操作が割り当てられていない場合には、特に処理を行わずに、キー入力操作処理を終了する。【０１１８】
一方、制御部４１は、電子メールアドレス・電話番号判定ステップＳ６２において電子メール本文中に電子メールアドレスなどが存在すると判定した場合、ステップＳ６４において、電子メール本文中に存在する電子メールアドレスや電話番号の検索を開始する。例えば、制御部４１は、電子メール本文の先頭位置から検索を開始する。制御部４１は、電子メール本文の先頭位置から電子メールアドレスおよび電話番号を区別することなく検索する。【０１１９】
ステップＳ６５において、制御部４１は、電子メールアドレスなどが検出されたか否かの判定を行う。制御部４１は、電子メールアドレスなどが検出されないと判定した場合、ステップＳ６６において、電子メールアドレスなどが検出されないまま、電子メール本文の終了位置まで検索を実行したか否かの判定を行う。制御部４１は、電子メール本文の終了位置まで検索が実行されていないと判定した場合、検出判定ステップＳ６５に戻り引き続き検索を行う。一方、制御部４１は、電子メール本文の終了位置まで検索が実行されたと判定した場合、ステップＳ６７において、電子メール本文の先頭位置から電子メールアドレスなどの検索を実行する。【０１２０】
制御部４１は、検出判定ステップＳ６５において、電子メール本文中において電子メールアドレスなどが検出されたと判定した場合、ステップＳ６８において、検出された電子メールアドレスなどに相当する文字列をフォーカスする。【０１２１】
また、ステップＳ６９において、制御部４１は、ソフトキー機能表示部２３ｂ、２３ｃに所定のアイコンを表示する。制御部４１は、フォーカスステップＳ６８において電子メールアドレスをフォーカスした場合には、左ソフトキー機能表示部２３ｂ（または右ソフトキー機能表示部２３ｃ）に新規メール作成を意味するメールのアイコンを表示する。制御部４１はメールのアイコンを表示することで、ユーザに対し左ソフトキー２０（または右ソフトキー２１）の入力操作を行うことにより新規メール作成処理が起動することを認識させる。また、制御部４１は、フォーカス表示ステップＳ６８において電話番号をフォーカスした場合、左ソフトキー機能表示部２３ｂ（または右ソフトキー機能表示部２３ｃ）に通話発信を意味する受話器のアイコンを表示する。制御部４１は受話器のアイコンを表示することで、ユーザに対し左ソフトキー２０（または右ソフトキー２１）の押下を行うことにより通話発信処理が起動することを認識させる。【０１２２】
図１８は、キー入力操作処理に伴う電子メールアドレスおよび電話番号のフォーカス例を示す図である。図１８（Ａ）では電子メール本文など一の電子メールの詳細情報が表示されている。図１８（Ａ）に示す電子メール本文は、全文が一の画面で表示しきれない長さである。電子メール本文は、「至急連絡・・・・・・に電話ください。」までが一の画面で表示され、それ以降の「不在の場合は・・・・・・よろしくお願いします」を確認するためにはスクロール操作を必要とする。【０１２３】
ここで、制御部４１は確定キー１７の入力操作（押下）を受け付けると（入力操作受付判定ステップＳ６１のＹＥＳ）、図１８（Ｂ）に示すように、電子メール本文文頭から最初に存在する電話番号「０×−××××−△△△△」がフォーカスされるようになっている。（図１８においては、電子メールアドレスを四角で囲むことでフォーカスされた状態を示す）。すなわち、制御部４１は、確定キー１７の短押し時には、電子メールアドレスおよび電話番号を区別することなく検索開始位置から最初に存在する電子メールアドレスまたは電話番号を検索する。さらに制御部４１は、左ソフトキー機能表示部２３ｂ（または右ソフトキー機能表示部２３ｃ）に通話発信を意味する受話器のアイコンを表示する。【０１２４】
図１８（Ｂ）の電話番号「０×−××××−△△△△」がフォーカスされている状態で、確定キー１７の入力操作を受け付けた場合、再度キー操作入力処理が実行される。制御部４１は、現在フォーカスされている電話番号「０×−××××−△△△△」以降から検索を開始し（検索開始ステップＳ６４）、検出された他の電子メールアドレスまたは電話番号にフォーカスを遷移させる。制御部４１は、図１８（Ｃ）に示すように、電子メール本文中において電話番号「０×−××××−△△△△」の次に存在する電子メールアドレスまたは電話番号である電子メールアドレス「ａａａ＠ｂｂｂ．ｃｃｃ．ｄｄｄ」をフォーカスする（フォーカスステップＳ６８）。さらに制御部４１は、左ソフトキー機能表示部２３ｂ（または右ソフトキー機能表示部２３ｃ）に新規メール作成を意味するメールのアイコンを表示する（アイコン表示ステップＳ６９）。【０１２５】
図１８（Ｃ）の電子メールアドレス「ａａａ＠ｂｂｂ．ｃｃｃ．ｄｄｄ」がフォーカスされている状態で確定キー１７の入力操作を受け付けた場合には、再度キー入力処理が実行される。制御部４１は、現在フォーカスされている電子メールアドレス「ａａａ＠ｂｂｂ．ｃｃｃ．ｄｄｄ」以降から検索を開始し（検索開始ステップＳ６４）、検出された他の電子メールアドレスまたは電話番号にフォーカスを遷移させる。制御部４１は、図１８（Ｄ）に示すように、電子メール本文中において電子メールアドレス「ａａａ＠ｂｂｂ．ｃｃｃ．ｄｄｄ」の次に存在する電子メールアドレスまたは電話番号である、電子メールアドレス「ｅｅｅ＠ｆｆｆ．ｇｇｇ．ｈｈｈ」をフォーカスする（フォーカスステップＳ６８）。さらに制御部４１は、左ソフトキー機能表示部２３ｂ（または右ソフトキー機能表示部２３ｃ）に新規メール作成を意味するメールのアイコンを表示する（アイコン表示ステップＳ６９）。【０１２６】
図１８（Ｄ）の電子メールアドレス「ｅｅｅ＠ｆｆｆ．ｇｇｇ．ｈｈｈ」がフォーカスされている状態で確定キー１７の入力操作を受け付けた場合には、再度キー入力操作処理が実行される。制御部４１は、現在フォーカスされている電子メールアドレス「ｅｅｅ＠ｆｆｆ．ｇｇｇ．ｈｈｈ」以降から検索を開始し（検索開始ステップＳ６４）、検出された他の電子メールアドレスまたは電話番号にフォーカスを遷移させる。図１８（Ｄ）に示す電子メール本文においては、現在のフォーカス位置から電子メール本文終了位置までの間に他の電子メールアドレスおよび電話番号が存在しないため（検索位置判定ステップＳ６６のＹＥＳ）、制御部４１は、電子メール本文先頭から検索を行い（先頭位置検索ステップＳ６７）、最初に検出された電話番号「０×−××××−△△△△」を再度フォーカスする。【０１２７】
次に、第三の実施例における携帯電話機１は、電子メール本文中の電子メールアドレスなどがフォーカスされている状態において、ソフトキー２０、２１が入力操作（押下）された場合、そのフォーカスされている電子メールアドレスまたは電話番号に応じた新規メール作成処理の起動、および通話発信処理の起動を行うようになっている。【０１２８】
図１９は、本実施形態における携帯電話機１の制御部４１により実行されるソフトキー入力操作処理を説明するフローチャートである。このソフトキー入力操作処理は、電子メール本文がメインディスプレイ２３に表示されている場合において実行される処理である。以下に説明するソフトキー入力操作処理においては、フォーカスされている電子メールアドレスまたは電話番号に応じた新規メール作成処理の起動、および通話発信処理の起動を実行する操作を左ソフトキー２０の入力操作（押下）に割り当てた例を適用して説明する。なお、左ソフトキー２０に限らず、右ソフトキー２１に割り当ててもよい。【０１２９】
ステップＳ７１において、制御部４１は、左ソフトキー２０が入力操作を受け付けたか否かの判定を行う。制御部４１は、左ソフトキー２０が入力操作を受け付けるまで処理を待機する。【０１３０】
なお、受付判定ステップＳ７１において受け付けたか否かの判定が行われる入力操作は、短押し操作または長押し操作のいずれかに限定してもよいし、短押し操作または長押し操作の両者を入力操作として受け付けるようにしてもよい。【０１３１】
制御部４１は、左ソフトキー２０の入力操作を受け付けたと判定した場合、ステップＳ７２において、現在のフォーカスが電子メールアドレスに当てられているか否かの判定を行う。制御部４１は、現在のフォーカスが電子メールアドレスに当てられていると判定した場合、ステップＳ７３において、新規メール作成処理を起動する。その際、制御部４１は、フォーカスされている電子メールアドレスの文字列を記憶領域より読み出し、読み出した電子メールアドレスを送信先アドレスに設定し、制御部４１は、ソフトキー入力操作処理を終了する。なお、フォーカスが電子メールアドレスに当てられている場合には、左ソフトキー機能表示部２３ｂには新規メール作成を意味するメールのアイコンが表示されている。【０１３２】
一方、制御部４１は、現在のフォーカスが電子メールアドレスに当てられていないと判定した場合、ステップＳ７４において、現在のフォーカスが電話番号に当てられているか否かの判定を行う。制御部４１は、現在のフォーカスが電話番号に当てられていないと判定した場合、ソフトキー入力操作処理を終了する。制御部４１は、現在のフォーカスが電話番号に当てられていると判定した場合、ステップＳ７５において、通話発信処理を起動する。その際、制御部４１は、フォーカスされている電話番号の文字列を記憶領域より読み出し、通話発信先の電話番号に設定する。【０１３３】
図２０は、電子メール本文表示画面におけるソフトキー入力操作に伴う新規メール作成処理の起動例を示す図である。図２０（Ａ）では電子メールの本文中の電子メールアドレス「ａａａ＠ｂｂｂ．ｃｃｃ．ｄｄｄ」にフォーカスが当てられている。このとき、制御部４１は、左ソフトキー機能表示部２３ｂにメールのアイコンを表示する。制御部４１はメールのアイコンを表示することで、ユーザに対し左ソフトキー２０の入力操作により新規メール作成処理が起動することを認識させる。制御部４１は、左ソフトキー２０が入力操作されると、図２０（Ｂ）に示すように、フォーカスされた電子メールアドレス「ａａａ＠ｂｂｂ．ｃｃｃ．ｄｄｄ」が送信先に設定された新規メール作成処理を起動する。【０１３４】
図２１は、電子メール本文表示画面におけるソフトキー入力操作に伴う通話発信処理の起動例を示す図である。図２１（Ａ）では電子メールの本文中の電話番号「０×−××××−△△△△」にフォーカスが当てられている。このとき、制御部４１は、左ソフトキー機能表示部２３ｂに受話器のアイコンを表示する。制御部４１は受話器のアイコンを表示することで、ユーザに対し左ソフトキー２０の入力操作により通話発信処理が起動することを認識させる。制御部４１は、左ソフトキー２０が入力操作されると、図２１（Ｂ）に示すように、フォーカスされた電話番号「０×−××××−△△△△」が送信先に設定された通話発信処理を起動する。以上でソフトキー入力操作処理の説明を終了する。【０１３５】
第三の実施例における携帯電話機１は、確定キー１７などの所定の操作キー１４が入力操作されると、電子メールアドレスおよび電話番号を区別することなくフォーカス遷移させるキー入力操作処理を実行する。さらに、携帯電話機１は、左ソフトキー２０などが入力操作されると、フォーカスされた電子メールアドレスを送信先とする新規メール作成処理の起動、またはフォーカスされた電話番号を通話発信先とする通話発信処理を起動するソフトキー入力操作処理を実行する。このため、携帯電話機１は、電子メール本文中から所望の電子メールアドレスや電話番号を選択する操作およびその電子メールアドレスを送信先とした新規メール作成や電話番号を発信先とした通話発信を簡易な操作で行うことができる。以上で、制御部４１により実行されるキー操作入力処理およびソフトキー入力操作処理からなる第三の実施例の説明を終了する。【０１３６】
この携帯電話機１によれば、第１の入力操作としてのメールキー１８および発信・応答キー１９の短押し操作を受け付けた場合、および第１の入力操作としての所定の操作キー１４の入力操作を受け付けた場合、電子メール本文中の電子メールアドレスおよび電話番号間をフォーカス遷移することができる。このため、十字キー１６の上下方向のキーなどを用いたスクロール操作を繰り返す必要なく、簡易な操作で必要な電子メールアドレスや電話番号に素早くアクセスできる点で操作性に優れている。【０１３７】
さらに、携帯電話機１は、所望の電子メールアドレスおよび電話番号がフォーカスされている際に第２の入力操作としてのメールキー１８および発信・応答キー１９の長押し操作や第２の入力操作としてのソフトキー２０、２１などの入力操作を行うことで、フォーカスされた電子メールアドレスを送信先に設定した新規メール作成画面、およびフォーカスされた電話番号を通話発信先に設定した通話発信処理を起動する。このため、電子メール本文中に含まれる電子メールアドレスを用いた新規メール作成や、電話番号を用いた通話発信を容易に実行することができる。【０１３８】
また、携帯電話機１は、電子メール本文中に電子メールアドレスおよび電話番号が存在する場合、フォーカスの遷移が割り当てられたメールキー１８、発信・応答キー１９、所定の操作キー１４を個別に発光させたり、アイコンなどを表示したりして電子メールアドレスおよび電話番号の存在を好適に通知する。このため、電子メール本文中に電子メールアドレスおよび電話番号が存在することをユーザに容易に認識させることができる。ユーザは、電子メールアドレスや電話番号の有無が定かではない場合であってもスクロール操作を頻繁に繰り返す必要がなく、操作キー１４の発光などにより情報の有無を一目で容易に判別することができる。【０１３９】
さらに、携帯電話機１は、操作キー１４を発光させることにより、電子メール本文内に電子メールアドレスおよび電話番号の有無を通知すると同時にこの操作キー１４に対する入力操作を促し、電子メールアドレスなどを直接フォーカスする操作が可能であることを知らしめることができる。【０１４０】
なお、本実施形態においては、電子メール本文表示処理で電子メールアドレスや電話番号が検索された場合には、フォーカスが割り当てられた操作キー１４を個別に発光させることなどにより電子メール本文中に電子メールアドレスなどが存在することをユーザに通知したが、操作キー１４の個別の発光処理などは行わないように構成してもよい。【０１４１】
また、電子メール本文表示処理において検出された記憶部４２などの記憶領域に記憶された電子メールアドレス、電話番号を一覧表示し、その中から一の電子メールアドレスや電話番号を選択させた後に新規メール作成画面や通話発信処理を起動するようにしてもよい。【０１４２】
また、本実施形態においては、電子メール本文中に含まれる電子メールアドレスおよび電話番号に対して実行される種々の処理を説明したが、電子メール本文に限らず、Ｗｅｂブラウザを代表とするブラウザに表示されたコンテンツに含まれる電子メールアドレスおよび電話番号に対して各種処理を実行してもよい。例えば、Ｗｅｂブラウザに表示されたＷｅｂコンテンツから電子メールアドレスを検索する際には、「ｍａｉｌｔｏ：」スキーマの検出の有無により電子メールアドレスを検出する。また、電話番号を検索する際には、「ｔｅｌ：」スキーマや「ｗｔａｉ：」スキーマの検出の有無により電話番号を検出する。他の処理については、上述した電子メール本文中に含まれる電子メールアドレスおよび電話番号に対する処理と同様であるため、詳細な説明は省略する。【０１４３】
さらに、本実施形態においては本発明に係る通信機器を操作キー１４とメインディスプレイ２３が独立して設けられた折り畳み式の携帯電話機１に適用した例を説明した。しかし、本発明に係る通信機器をディスプレイと操作キーとが一体に構成されたタッチパネルを備えた携帯電話機（携帯端末）に適用してもよい。【０１４４】
図２２は、本発明に係る通信機器の変形例であるタッチパネルを備えた携帯電話機１００の外観の構成を示す図である。なお、携帯電話機１００の内部の構成については図３とほぼ同様であるため、説明を省略する。【０１４５】
携帯電話機１００は、矩形の板状の筐体１１１を有する。この筐体１１１の表面には、タッチパネル１１２が大部分を占めて構成される。【０１４６】
タッチパネル１１２は、文字や画像などからなる情報を表示する領域が設けられたディスプレイである。このディスプレイは、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイで構成される。なお。ディスプレイとしてのタッチパネル１１２は、図３のメインディスプレイ２３に対応する。【０１４７】
また、タッチパネル１２は、ディスプレイ上に対する接触動作を入力位置情報として検出するタッチセンサである。タッチセンサは、ディスプレイの上面に複数配置された接触動作を検出するための素子と、さらにその上に積層された透明な操作面で構成される。なお、タッチパネル１２上で接触動作を検知する方法は、圧力の変化を感知する感圧式、静電気による電気信号を感知する静電式、その他の方法を適用することができる。また、タッチセンサとしてのタッチパネル１１２は、図３の操作キー１４に対応する。【０１４８】
図２３は、電子メール本文表示画面における新規メール作成処理の起動の変形例を示す図である。【０１４９】
図２３（Ａ）に示すように、制御部４１は、電子メール本文から電子メールアドレスを検出すると、所定の表示領域１２０に電子メール本文中に電子メールアドレスが含まれること通知するためのメールのアイコンを表示する。このとき、メールのアイコンを点滅させることにより、ユーザに対して電子メール本文中に電子メールアドレスが含まれることをより好適に通知することができる。また、制御部４１は、電子メール本文中に存在する電子メールアドレスをフォーカスする入力操作の受け付けをこのアイコンに割り当てる。【０１５０】
制御部４１は、例えばアイコンに対する短押しに相当する接触動作を第１の入力操作として検出すると、図２３（Ｂ）に示すように、電子メールアドレスとして記憶された文字列間で順次フォーカスを遷移するようになっている。また、制御部４１は、例えばアイコンに対する長押しに相当する接触動作を第２の入力操作として検出すると、図２３（Ｃ）に示すように、フォーカスされた電子メールアドレスが送信先に設定された新規メール作成処理を起動する。【０１５１】
なお、新規メール作成処理の起動はアイコンの接触動作のみならずフォーカスされた電子メールアドレスに対する接触動作に割り当ててもよい。この場合、フォーカスされた電子メールアドレスを拡大したり立体表示したりして強調表示することで、接触動作を容易に行わせることができる。強調表示は、フォーカスされた電子メールアドレスのみならず、フォーカスされた電子メールアドレスと同一画面上に表示された他の電子メールアドレスにも適用してもよい。【０１５２】
また、制御部４１は、電子メール本文から電話番号を検出すると、所定の表示領域１２０に電子メール本文中に電話番号が含まれること通知するための受話器のアイコンを表示する。このとき、受話器のアイコンを点滅させすることにより、ユーザに対して電子メール本文中に電話番号が含まれることをより好適に通知することができる。また、制御部４１は、電子メール本文中に存在する電話番号をフォーカスする入力操作の受け付けをこのアイコンに割り当てる。【０１５３】
なお、電子メール本文中に電話番号が含まれた場合のタッチパネル１１２の表示例（通話発信処理の起動例）は、図２３の表示領域１２０に表示されたメールのアイコンが受話器のアイコンに変更され、かつフォーカスが電話番号「０×−××××−△△△△」に当てられる点が異なるのみである。このため、電子メール本文中に電話番号が含まれた場合のタッチパネル１１２の表示例については図面を用いた説明を省略する。【０１５４】
本発明は携帯電話機以外にもＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の通信機能を備えた通信機器にも適用することができる。【０１５５】
さらに、本発明の各実施形態において説明した一連の処理は、ソフトウェアにより実行させることもできるが、ハードウェアにより実行させることもできる。【０１５６】
さらにまた、本実施形態では、フローチャートのステップは記載された順序に沿って時系列的に行われる処理の例を示したが、必ずしも時系列的に処理されなくとも、並列的あるいは個別実行される処理をも含むものである。
【図１】
2010150566.tif 000003
【図２】
2010150566.tif 000004
【図３】
2010150566.tif 000005
【図４】
2010150566.tif 000006
【図５】
2010150566.tif 000007
【図６】
2010150566.tif 000008
【図７】
2010150566.tif 000009
【図８】
2010150566.tif 000010
【図９】
2010150566.tif 000011
【図１０】
2010150566.tif 000012
【図１１】
2010150566.tif 000013
【図１２】
2010150566.tif 000014
【図１３】
2010150566.tif 000015
【図１４】
2010150566.tif 000016
【図１５】
2010150566.tif 000017
【図１６】
2010150566.tif 000018
【図１７】
2010150566.tif 000019
【図１８】
2010150566.tif 000020
【図１９】
2010150566.tif 000021
【図２０】
2010150566.tif 000022
【図２１】
2010150566.tif 000023
【図２２】
2010150566.tif 000024
【図２３】
2010150566.tif 000025
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
第1の入力操作を受け付ける少なくとも一の入力手段と、
所定のデータを表示する表示手段と、
前記表示手段に表示された前記データから、所定の情報を検索する検索手段と、
前記第1の入力操作を受け付けた場合、前記検索手段により検出された前記情報をフォーカスするフォーカス手段とを備えたことを特徴とする通信機器。
【請求項２】
前記情報を用いた所定の処理を実行する実行手段をさらに備え、
前記入力手段は、前記第1の入力操作とは異なる第2の入力操作をさらに受け付け、
前記実行手段は、前記情報がフォーカスされた際に前記第2の入力操作を受け付けた場合、前記フォーカスされた前記情報に基づく前記処理を実行する請求項1に記載の通信機器。
【請求項３】
前記所定の情報は電子メールアドレスであり、
前記実行手段は、前記電子メールアドレスを送信先とした電子メールを作成する処理を実行する請求項2に記載の通信機器。
【請求項４】
前記検索手段により前記情報が検出された場合、前記データ内には前記情報が存在することを通知する通知手段をさらに備えた請求項1に記載の通信機器。
【請求項５】
前記入力手段は、押下により入力を受け付ける操作キーである請求項1記載の通信機器。
前記入力手段は、前記表示手段と一体に構成されたタッチセンサである請求項1記載の通信機器。
【国際調査報告】
2010150566.tif 000026
2010150566.tif 000027
2010150566.tif 000028
2010150566.tif 000029
2010150566.tif 000030
2010150566.tif 000031